(57)【要約】【課題】  デジタル放送の受信信号における現在の受信限界レベルに対する余裕度を算出する。【解決手段】  デジタル放送の伝送信号を受信すると共に、映像情報を表示する表示装置を備えたデジタル放送受信装置１であって、受信信号のビット誤り率を検出するビット誤り率検出手段１３と、前記受信信号の入力信号レベルを検出する受信レベル検出手段１４と、前記受信信号の入力信号レベルを前記ビット誤り率検出手段で検出したビット誤り率を参照しながら変化させて受信余裕度を算出する受信余裕度算出手段１６とを備えている。【選択図】  図１
2006217017.tif 000002
【特許請求の範囲】
【請求項１】
デジタル放送の伝送信号を受信すると共に、映像情報を表示する表示装置を備えたデジタル放送受信装置であって、
受信信号のビット誤り率を検出するビット誤り率検出手段と、前記受信信号の入力信号レベルを検出する受信レベル検出手段と、前記受信信号の入力信号レベルを前記ビット誤り率検出手段で検出したビット誤り率を参照しながら変化させて受信余裕度を算出する受信余裕度算出手段とを備えたことを特徴とするデジタル放送受信装置。
【請求項２】
前記受信レベル検出手段は、受信した受信信号が入力されるチューナのゲインを自動制御するＡＧＣ回路のＡＧＣレベルを検出するように構成されていることを特徴とする請求項１に記載のデジタル放送受信装置。
【請求項３】
前記受信余裕度算出手段は、前記ＡＧＣ回路でチューナのゲインを自動制御している状態で、前記受信レベル検出手段で検出したＡＧＣレベルと、前記ＡＧＣ回路の前記チューナへのゲイン制御電圧に代えて電圧印加手段からの電圧を増加させながら受信信号のビット誤り率が所定値を超えたときの前記受信レベル検出手段で検出したＡＧＣレベルとに基づいて受信余裕度を算出するように構成されていることを特徴とする請求項２に記載のデジタル放送受信装置。
【請求項４】
前記受信余裕度算出手段は、前記ＡＧＣ回路から出力される受信信号を減衰させる減衰器を備え、前記減衰器をバイパスして受信信号を入力している状態で、前記受信レベル検出手段で検出したＡＧＣレベルと、前記減衰器で受信信号を減衰させながら前記ビット誤り率検出手段で検出したビット誤り率が所定値を超えたときの前記受信レベル検出手段で検出したＡＧＣレベルとに基づいて受信余裕度を算出するように構成されていることを特徴とする請求項２に記載のデジタル放送受信装置。
【請求項５】
前記受信余裕度算出手段は、算出した受信余裕度を画像表示装置に表示する受信余裕度表示手段を備えていることを特徴とする請求項１乃至４の何れか１項に記載のデジタル放送受信装置。
【請求項６】
前記受信余裕度表示手段は、受信余裕度を棒グラフ状に表示するように構成されていることを特徴とする請求項５に記載のデジタル放送受信装置。
【請求項７】
前記受信余裕度表示手段は、受信信号を分配器で分配可能なデジタル放送受信装置数を表示するように構成されていることを特徴とする請求項５に記載のデジタル放送受信装置。
【請求項８】
前記受信余裕度表示手段は、受信信号を分配器で分配可能なデジタル放送受信装置数を接続構成図として表示するように構成されていることを特徴とする請求項７に記載のデジタル放送受信装置。
【請求項９】
前記受信余裕度表示手段は、受信信号を分配可能なデジタル放送受信装置数を数値表示するように構成されていることを特徴とする請求項７に記載のデジタル放送受信装置。
【請求項１０】
前記請求項１乃至９の何れか１項に記載されたデジタル放送受信装置を備えたことを特徴とする携帯用電子機器。
【発明の詳細な説明】
【技術分野】
【０００１】
本発明は、デジタル放送を受信して映像情報を表示するデジタル放送受信装置及びこれを使用した携帯用電子機器に関し、特にデジタル放送受信信号の受信レベルを表示可能なデジタル放送受信装置及びこれを使用した携帯用電子機器に関する。
【背景技術】
【０００２】
この種のデジタル放送受信装置としては、表示器にアンテナレベルを表示する際には、ＱＰＳＫ復調器の出力信号と、この出力信号をエラーコレクション回路によりエラー訂正し、再エンコード回路により再度エラー訂正符号を付加した信号とを比較器により比較してビットエラーレートを測定し、このビットエラーレートの測定値に応じてＡＧＣアンプのゲインを可変制御すると共に、このビットエラーレートの測定値に応じたレベルを表示器に表示するようしたデジタル衛生放送受信機及びそのアンテナレベル表示方法が知られている（例えば、特許文献１参照）。
【０００３】
また、復調回路で入力信号を直交検波し、ＲＯＭのテーブルからＩＱ平面上にマッピングされた受信信号における信号点の振れ幅の平均値に基づくＣ／Ｎ比の値を計測し、比較回路で、復調データとビタビ復号回路でエラー訂正された復調データとを比較し、ＲＯＭのテーブルからビットエラーレートに基づくＣ／Ｎ比の値を計測し、これら２つＣ／Ｎ比から、表示すべきＣ／Ｎ比を判断し、適応的に切り替えて表示することにより、コンバータ等の位相ノイズに起因して受信環境が悪化したような場合でも、受信状況に反映したアンテナレベルを表示させるようにしたアンテナレベル表示装置も知られている（例えば、特許文献２参照）。
【特許文献１】特開平１０−２３４７５号公報（第１頁、図１）
【特許文献２】特開２００３−２３００７０号公報（第１頁、図１）
【発明の開示】
【発明が解決しようとする課題】
【０００４】
この種のデジタル放送受信装置では、アナログ放送の受信装置のように、入力信号レベルが下がるに応じて受信画質も徐々に劣化するものではなく、ビタビ復号やリード・ソロモン復号等で符号誤り訂正を行っている関係で、受信信号レベルがある程度下がってもビット誤り率は０の状態が続き、受信画質も正常な状態が保たれるが、受信信号レベルが更に低下して所定の値を下回ると、ビット誤り率は急激に増加して飽和状態になり、受信画質は受像できないほどに劣化するという現象が発生する。
【０００５】
このため、上記特許文献１に記載された従来例では、増幅手段のゲインを可変制御することにより、入力信号レベルの低下時にビット誤り率が急激に増加するのを抑制し、アンテナレベルの表示範囲を拡大している。
また、上記特許文献２に記載された従来例では、受信信号に変調形式の異なるデータが多重化されている場合に、異なる変調方式のビット誤り率を利用することにより、ビット誤り率が飽和状態になってからも、入力信号レベルの低下に応じたビット誤り率の変化を把握できるようにしている。
【０００６】
しかしながら、両従来例のようにアンテナレベルを表示する場合には、受信信号レベルの変化を視認することはできるが、受信信号の受信限界レベルに対する余裕度があるのかないのかは明らかではなく、例えば分配器を使用して新たなデジタル放送受信装置を増設する場合のように受信信号レベルが低下した場合には突然受信不可能となってしまい、ユーザーに混乱を与えるという未解決の課題がある。
【０００７】
そこで、本発明は、上記従来例の未解決の課題に着目してなされたものであり、デジタル放送の受信信号における現在の受信限界レベルに対する余裕度を算出することができるデジタル放送受信装置及びこれを使用した携帯端機器を提供することを目的としている。
【課題を解決するための手段】
【０００８】
第１の技術手段は、デジタル放送の伝送信号を受信すると共に、映像情報を表示する表示装置を備えたデジタル放送受信装置であって、受信信号のビット誤り率を検出するビット誤り率検出手段と、前記受信信号の入力信号レベルを検出する受信レベル検出手段と、前記受信信号の入力信号レベルを前記ビット誤り率検出手段で検出したビット誤り率を参照しながら変化させて受信余裕度を算出する受信余裕度算出手段とを備えたことを特徴としている。
【０００９】
この第１の技術手段では、ビット誤り率検出手段によって受信信号のビット誤り率を検出し、受信レベル検出手段によって前記受信信号の入力信号レベルを検出し、余裕度算出手段によって、受信信号の入力信号レベルをビット誤り率検出手段で検出したビット誤り率を参照しながら変化させて受信余裕度を算出するので、現時点の受信信号レベルと、受信信号のビット誤り率を受像不能になるまで増加させた時点での受信信号レベルを受信限界レベルとして検出することによって、両者の差分によって受信限界に対する余裕度を得ることができる。
【００１０】
また、第２の技術手段は、上記第１の技術手段において、前記受信レベル検出手段は、受信した受信信号が入力されるチューナのゲインを自動制御するＡＧＣ回路のＡＧＣレベルを検出するように構成されていることを特徴としている。
この第２の技術手段では、受信レベル検出手段が、チューナのゲインを自動制御するＡＧＣ回路のＡＧＣレベルを検出するので、受信信号のレベルを正確に検出することができる。
【００１１】
さらに、第３の技術手段は、第２の技術手段において、前記受信余裕度算出手段が、前記ＡＧＣ回路でチューナのゲインを自動制御している状態で、前記受信レベル検出手段で検出したＡＧＣレベルと、前記ＡＧＣ回路の前記チューナへのゲイン制御電圧に代えて電圧印加手段からの電圧を増加させながら受信信号のビット誤り率が所定値を超えたときの前記受信レベル検出手段で検出したＡＧＣレベルとに基づいて受信余裕度を算出するように構成されていることを特徴としている。
【００１２】
この第３の技術手段では、受信余裕度算出手段で、ＡＧＣ回路でチューナのゲインを自動制御しているときのＡＧＣレベルと、ＡＧＣ回路のゲイン制御電圧に代えて電圧印加手段からの電圧を増加させながら受信信号のビット誤り率が所定値を超えたときのＡＧＣレベルとに基づいて受信余裕度を算出するので、受信限界までの受信余裕度を正確に算出することができる。
【００１３】
さらにまた、第４の技術手段は、第２の技術手段において、前記受信余裕度算出手段は、前記ＡＧＣ回路から出力される受信信号を減衰させる減衰器を備え、前記減衰器をバイパスして受信信号を入力している状態で、前記受信レベル検出手段で検出したＡＧＣレベルと、前記減衰器で受信信号を減衰させながら前記ビット誤り率検出手段で検出したビット誤り率が所定値を超えたときの前記受信レベル検出手段で検出したＡＧＣレベルとに基づいて受信余裕度を算出するように構成されていることを特徴としている。
【００１４】
この第４の技術手段では、受信余裕度算出手段によって、減衰器をバイパスしてチューナに受信信号を入力した通常時のＡＧＣレベルと、ＡＧＣ回路から出力される受信信号を減衰器で減衰させながらビット誤り率が所定値を超えたときのＡＧＣレベルとに基づいて受信限界に対する余裕度を算出するので、受信限界までの受信余裕度を正確且つ容易に算出することができる。
【００１５】
なおさらに、第５の技術手段は、第１乃至第４の技術手段の何れか１つにおいて、前記受信余裕度算出手段が、算出した受信余裕度を画像表示装置に表示する受信余裕度表示手段を備えていることを特徴としている。
この第５の技術手段では、受信余裕度算出手段で算出した受信余裕度を受信余裕度表示手段によって画像表示装置に表示するので、ユーザーが実際の受信余裕度を確実に視認することができる。
【００１６】
また、第６の技術手段は、第５の技術手段において、前記受信余裕度表示手段が、受信余裕度を棒グラフ状に表示するように構成されていることを特徴としている。
この第６の技術手段では、受信余裕度が棒グラフ状に表示されるので、受信余裕度を正確に視認することができる。
さらに、第７の技術手段は、第５の技術手段において、受信信号を分配器で分配可能なデジタル放送受信装置数を表示するように構成されていることを特徴としている。
【００１７】
この第７の技術手段では、受信信号を分配器で分配可能なデジタル放送受信装置数が表示されるので、増設可能なデジタル放送受信装置数を正確に把握することができる。
さらにまた、第８の技術手段は、請求項７の技術手段において、前記受信余裕度表示手段は、受信信号を分配器で分配可能なデジタル放送受信装置数を接続構成図として表示するように構成されていることを特徴としている。
【００１８】
この第８の技術手段では、増設可能なデジタル放送受信装置数が接続構成図として表示されるので、増設可能なデジタル放送受信装置数を正確に把握することができる。
なおさらに、第９の技術手段は、第７の技術手段において、前記受信余裕度表示手段は、受信信号を分配可能なデジタル放送受信装置数を数値表示するように構成されていることを特徴としている。
【００１９】
この第９の発明でも、増設可能なデジタル放送受信装置数を正確に把握することができる。
第１０の技術手段は、第１乃至第９の技術手段に記載された何れか１つのデジタル放送受信装置を備えた携帯用電子機器であることを特徴とている。
この第１０の技術手段では、ノート型パーソナルコンピュータ、携帯電話機等の携帯用電子機器で、デジタル放送を受信する場合に、マルチパスなどの受信状況に応じて、受信限界に対する余裕度を正確に確認することができる。
【発明を実施するための最良の形態】
【００２０】
以下、本発明の実施の形態を図面に基づいて説明する。
図１は、本発明の一実施形態を示すブロック図であって、図中、１はデジタル放送を受信して映像情報を表示するデジタル放送受信装置である。
デジタル放送受信装置１は、受信アンテナ２を有し、この受信アンテナ２で衛星又は地上局から送信されるデジタル放送のＲＦ変調波信号を受信信号として受信する。
【００２１】
この受信アンテナ２で受信したＲＦ変調波信号はチューナ３に供給される。このチューナ３では、ＲＦ変調波信号からユーザーの所望のチャンネル信号を選局し、選局された変調波信号がＡＧＣ回路４に供給される。
このＡＧＣ回路４では、チューナ３から供給された変調波信号の出力信号レベルが一定となるようにチューナ３に含まれる増幅器（ＲＦアンプ、ローノイズアンプ等）のゲインを自動的に制御するＤＣ制御電圧Ｖｃを発生し、このＤＣ制御電圧Ｖｃが、後述する可変電圧発生回路１５からの可変電圧Ｖａが一方の入力側に供給された選択切換回路ＳＷの他方の入力側を介してチューナ３の増幅器に入力する。
【００２２】
そして、ＡＧＣ回路４の出力信号が復調回路５に供給される。この復調回路５では、チャンネル選択された信号を直交復調し、同期再生によりモード及びガードインターバル長にあった受信同期を確立して、ＯＦＤＭ復調を行って、トランスポートストリームを復調する。
そして、復調回路５で復調されたトランスポートストリームがビタビ復号回路６に供給されて内符号のエラー訂正が行われ、このビタビ復号回路６の出力がリード・ソロモン復号回路７に供給されて外符号のエラー訂正が行われる。
【００２３】
すなわち、デジタルＢＳ放送では、エラー訂正符号化方式としては、外符号に短縮化リード・ソロモン符号（２０４，１８８）、内符号に、トレリス符号、畳み込み符号が用いられているので、ビタビ復号回路６で内符号のエラー訂正を行い、リード・ソロモン復号回路７で外符号のエラー訂正を行う。このとき、ビタビ復号回路６では、周波数的誤り分散及び時間的誤り分散を目的とする周波数及び時間デインタリーブ処理を行い、その後に多値シンボルの誤り分散を目的としたビットデインタリーブ処理を行ってからビタビ復号を行う。また、リード・ソロモン復号回路７では、誤りが集中しないようにバースト状の残留誤りの分散を目的としたバイトデインタリーブ処理を行ってからリード・ソロモン復号処理を行い、トランスポートストリームを出力する。
【００２４】
このリード・ソロモン復号回路７から出力されるトランスポートストリームは、ＭＰＥＧデコーダ８に供給されて映像及び音声デコードされて、映像信号が表示制御回路９を介して液晶表示器、プラズマ表示器、ブラウン管等の表示装置１０に供給されて再生され、音声信号が音声制御回路１１を介してスピーカ１２に供給されて再生される。
そして、ビタビ復号回路６の入力信号及び出力信号とリード・ソロモン復号回路７の入力信号及び出力とがビット誤り（ＢＥＲ）検出回路１３に供給され、このビット誤り検出回路１３で、ビタビ復号回路６の入力信号とその出力信号をエンコードして再符号化した信号とを比較してビット誤り率ＢＥＲBを算出すると共に、リード・ソロモン復号回路７の入力信号とその出力信号をエンコードして再符号化した信号とを比較してビット誤り率ＢＥＲRを算出する。
【００２５】
また、前述したＡＧＣ回路４から出力されるチューナ３に入力される受信信号のレベルに対応したＡＧＣレベル（ｍＶ）が受信レベル検出回路１４に供給されて、この受信レベル検出回路１４で、ＡＧＣレベルを入力信号レベルとして検出される。ここで、チューナ３に入力される受信信号の入力レベルとＡＧＣレベルとは図３に示すように略比例関係にあり、入力レベルが減少するとＡＧＣレベルも減少する。
【００２６】
一方、チューナ３に接続された選択切換回路ＳＷの一方の入力側には直流の可変電圧を発生する電圧印加手段としての可変電圧発生回路１５が接続されている。
そして、ビット誤り率検出回路１３で検出したビット誤り率ＢＥＲB及びＢＥＲRと受信レベル検出回路１４で検出したＡＧＣレベルとが受信余裕度算出手段としての受信余裕度算出回路１６に供給される。
【００２７】
この受信余裕度算出回路１６は、例えばマイクロコンピュータを含んで構成され、このマイクロコンピュータで図２に示す受信余裕度算出処理を実行することにより、受信余裕度ＡＡ（ｄＢ）を算出する。
この受信余裕度算出処理は、例えばユーザーが受信余裕度を確認したいときに例えばリモコン（図示せず）でメニュー画面を表示装置１０に表示させて、このメニュー画面から受信余裕度表示モードを選択したときに実行開始され、先ず、ステップＳ１で、受信レベル検出回路１４で検出したＡＧＣレベル（ｍＶ）を読込み、次いでステップＳ２に移行して、読込んだＡＧＣレベルを現在ＡＧＣレベルＬ１としてＲＡＭ等に一時記憶し、次いでステップＳ３に移行してビット誤り検出回路１３で検出したビット誤り率ＢＥＲB及びＢＥＲRを読込んでからステップＳ４に移行する。
【００２８】
このステップＳ４では、ビット誤り率ＢＥＲBが所定値ＢＥＲS（例えば０．０００２）を超えているか否かを判定し、ビット誤り率ＢＥＲB≦ＢＥＲSであるときにはステップＳ５に移行して、ビット誤り率ＢＥＲRが所定値ＢＥＲSを超えているか否かを判定し、ビット誤り率ＢＥＲR≦ＢＥＲSであるときには受信レベルの限界値に対して余裕があるものと判断してステップＳ６に移行する。
【００２９】
このステップＳ６では、ＡＧＣ回路４から出力されるＤＣ制御電圧Ｖｃを読込み、次いでステップＳ７に移行して、可変電圧発生回路１５で発生する可変電圧ＶａをＤＣ制御電圧Ｖｃに制御してからステップＳ８に移行する。
このステップＳ８では、選択切換回路ＳＷに対して論理値“１”の選択信号ＳＬを出力して、選択切換回路ＳＷをＡＧＣ回路４から出力されるＤＣ制御電圧Ｖｃをチューナ３に供給する通常切換位置から可変電圧発生回路１５の可変電圧Ｖａをチューナ３に供給する測定位置に切換え、次いでステップＳ９に移行して、可変電圧発生回路１５の可変電圧Ｖａに所定値ΔＶａだけ増加させる増加指令値を出力してから前記ステップＳ３に戻る。
【００３０】
一方、前記ステップＳ４の判定結果がＢＥＲB＞ＢＥＲSであるとき及び前記ステップＳ５の判定結果がＢＥＲR＞ＢＥＲSであるときにはステップＳ１０に移行して、現在のＡＧＣレベルを受信限界ＡＧＣレベルＬLIMとして読込み、次いでステップＳ１１に移行して、現在ＡＧＣレベルＬ１と受信限界ＡＧＣレベルＬLIMに基づいて下記（１）式の演算を行って受信余裕度としてのアンテナレベル余裕度ＡＡ（ｄＢ）を算出する。
【００３１】
ＡＡ＝0.5×（Ｌ１-ＬLIM）    …………（１）
次いで、ステップＳ１２に移行して、現在ＡＧＣレベルＬ１をアンテナレベルＡＬ（ｄＢμＶ）に換算した値を算出し、次いでステップＳ１３に移行して、アンテナレベルＡＬ及びアンテナレベル余裕度ＡＡを横棒グラフで表示する表示情報を形成し、次いでステップＳ１４に移行して、形成した表示情報を表示制御回路９に出力してからステップＳ１５に移行する。
【００３２】
このステップＳ１５では、選択切換回路ＳＷに対する選択信号ＳＬを論理値“０”に復帰させて、選択切換回路ＳＷをＡＧＣ回路４のＤＣ制御電圧Ｖｃをチューナ３に供給する通常切換位置に復帰させてから受信余裕度算出処理を終了する。
次に、上記実施形態の動作を説明する。
今、デジタル放送受信装置１の電源が投入されており、チューナ３で所望のチャンネルが設定されて、所望チャンネルのデジタル放送のＲＦ変調波を選局受信しているものとする。このとき、受信余裕度算出モードが選択されていないものとすると、受信余裕度算出回路１６から出力される選択信号ＳＬが論理値“０”を維持しており、これが選択切換回路ＳＷに供給されることから、この選択切換回路ＳＷがＡＧＣ回路４から出力されるＤＣ制御電圧Ｖｃをチューナ３に含まれる増幅器に供給する通常切換位置に切換えられている。
【００３３】
このため、ＡＧＣ回路４によって、チューナ３から出力されるＲＦ変調信号の信号レベルが一定値となるようにチューナ３に含まれる増幅器のゲインが自動制御される。
そして、ＡＧＣ回路４から出力されるＲＦ変調信号が復調回路５に供給されて、この復調回路５でＯＦＤＭ復調が行われ、この復調信号がビタビ復号回路６に供給されることにより、内符号のエラー訂正を行うビタビ復号処理が行われ、エラー訂正されたビタビ復号信号がリード・ソロモン復号回路７に供給されて、再度外符号のエラー訂正を行うリード・ソロモン復号処理が行われて、トランスポートストリームが再生され、これがＭＰＥＧデコーダ８でデコードされて映像信号及び音声信号が再生され、映像信号が表示制御回路９を介して表示装置１０に供給されることにより表示され、音声信号が音声制御回路１１を介してスピーカ１２に供給されて放声される。
【００３４】
このデジタル放送の通常視聴状態で、ユーザーがリモコンを操作して表示装置１０にメニュー画面を表示させ、このメニュー画面で受信余裕度表示モードを選択すると、受信余裕度算出回路１６で図２に示す受信余裕度算出処理を実行する。
このため、先ず、受信レベル検出回路１４で検出される現在のＡＧＣ回路４で制御されているＡＧＣレベルを読込んで（ステップＳ１）、このＡＧＣレベルを現在ＡＧＣレベルＬ１としてＲＡＭ等に一時記憶し（ステップＳ２）、次いでビット誤り率検出回路１３で検出したビット誤り率ＢＥＲB及びＢＥＲRを読込む（ステップＳ３）。
【００３５】
このとき、ビタビ復号回路６の入出力信号に基づくビット誤り率ＢＥＲB及びリード・ソロモン復号回路７の入出力信号に基づくビット誤り率ＢＥＲRが共に所定値ＢＥＲS以下であるときには、受信信号の復号が正常に行われて映像信号が表示装置１０で表示され、音声信号がスピーカ１２から放声されて、デジタル放送を視聴できており、受信限界レベルに対して余裕がある状態となる。
【００３６】
このため、ステップＳ６でＡＧＣ回路４から出力されるＤＣ制御電圧Ｖｃを読込み、このＤＣ制御電圧Ｖｃと一致する可変電圧Ｖａを出力するように可変電圧発生回路１５を設定してから選択切換回路ＳＷに対して論理値“１”の選択信号ＳＬを出力する。これによって、選択切換回路ＳＷが測定位置に切換えられてＡＧＣ回路４から出力されるＤＣ制御電圧Ｖｃに代えて可変電圧発生回路１５で発生される可変電圧Ｖａがチューナ３の増幅器に供給される（ステップＳ７）。
【００３７】
その後、可変電圧発生回路１５に対して可変電圧Ｖａを所定値ΔＶａずつ増加させる増加指令が出力されることにより（ステップＳ９）、可変電圧Ｖａが増加し、チューナ３の増幅器のゲインが減少してチューナ３から出力されるＲＦ変調波信号の信号レベルが低下し、これがＡＧＣ回路４を介して復調回路５に供給されてＯＦＤＭ復調され、その後にビタビ復号回路６でビタビ復号処理が行われると共に、リード・ソロモン復号回路７でリード・ソロモン復号処理が行われる。
【００３８】
このときにビット誤り率検出回路１３で検出されるビット誤り率ＢＥＲB及びＢＥＲRが所定値ＢＥＲS以下であるときには正常受信状態であると判断して、可変電圧発生回路１５で発生する可変電圧Ｖａを順次減少させ、ビット誤り率検出回路１３で検出されるビット誤り率ＢＥＲB又はＢＥＲRが所定値ＢＥＲSを超える状態となると、ステップＳ４又はＳ５からステップＳ１０に移行して、受信レベル検出回路１４で検出した現在のＡＧＣレベルを読込み、これを受信限界ＡＧＣレベルＬLIMとして読込み、読込んだ受信限界ＡＧＣレベルＬLIMとステップＳ２で記憶した現在ＡＧＣレベルＬ１とに基づいて前記（１）式の演算を行ってアンテナレベル余裕度ＡＡを算出する。
【００３９】
また、現在ＡＧＣレベルＬ１をアンテナレベルＡＬに換算し、このアンテナレベルＡＬ及びアンテナレベル余裕度ＡＡを横棒グラフで表す画像情報を形成し、この画像情報を表示制御回路９に供給することにより、表示装置１０に図４に示すアンテナレベル表示及びアンテナレベル余裕度表示が表示される。
このように表示装置１０に現在のアンテナレベルＡＬとアンテナレベル余裕度ＡＡとが表示されることにより、ユーザーがアンテナレベル余裕度ＡＡを正確に把握することができ、このアンテナレベル余裕度ＡＡに基づいて分配器を使用したデジタル放送受信装置の増設が可能であるか否かを正確に判断することができると共に、新たにデジタル放送機器を設置したときに、余裕を持ったアンテナの向きを設定することができる。
【００４０】
すなわち、チューナ３の入力レベル（ｄＢｍ）とビット誤り率ＢＥＲとの関係は、一般に図５に示すように、入力レベルが例えば地上デジタル放送局からの距離が遠くなるに比例して低下するが、−８０ｄＢｍまではビット誤り率ＢＥＲは“０”を維持し、その後急激にビット誤り率ＢＥＲが上昇することになる。このため、入力レベルが−７０ｄｂｍ程度である場合に新たに分配器を設けて新たなデジタル放送受信装置を増設した場合に、入力レベルが減少して−８０ｄＢｍを超えたときには、デジタル放送を視聴することができなくなり、ユーザーが困惑することになるが、本発明では、上述したように、アンテナレベル余裕度ＡＡを表示するので、新たなデジタル放送受信装置の増設が可能であるか否かを素人のユーザーでも瞬時に判断することができる。
【００４１】
なお、上記実施形態においては、チューナ３の増幅器に供給する可変電圧を増加させることにより、チューナ３の出力信号レベルを減少させてアンテナレベル余裕度ＡＡを算出する場合について説明したが、これに限定されるものではなく、図６に示すように、前述した図１における選択切換回路ＳＷ及び可変電圧発生回路１５を省略し、これに代えてＡＧＣ回路４の出力側に選択切換回路ＳＷを設け、この選択切換回路ＳＷでＡＧＣ回路の出力信号を直接復調回路５に供給するか可変減衰器２０を介して供給するかを選択するようにし、選択切換回路ＳＷを受信余裕度算出回路１６で可変減衰器２０を選択する測定位置に切換えた状態で、可変減衰器２０の減衰度を増加させて復調回路５に入力されるＲＦ変調波信号の信号レベルを減少させて、ビット誤り率検出回路１３でビット誤り率ＢＥＲB又はＢＥＲRが所定値ＢＥＲSを超えたときに、受信レベル検出回路１４で検出したＡＧＣレベルを受信限界ＡＧＣレベルＬLIMとして読込んで、前記（１）式による演算を行ってアンテナレベル余裕度ＡＡを算出するようにしてもよい。
【００４２】
また、上記実施形態においては、アンテナレベル余裕度ＡＡを横棒グラフ状に表示する場合について説明したが、これに限定されるものではなく、図７に示すように、図２の受信余裕度算出処理において、ステップＳ１３に代えて、アンテナレベル余裕度ＡＡが分配器を新たに設置して新たなデジタル放送受信装置を設置するのに必要とする増設アンテナレベルＡＡＬ（例えば６ｄＢ）を超えているか否かを判定するステップＳ２１を設け、ＡＡ＞ＡＡＬであるときにはステップＳ２２に移行して、図８（ａ）に示すように、アンテナ３１とテレビ受像機３２との間に分配器３３を介挿して新たなテレビ受像機３４を接続した接続構成図及び「２分配可能」の文字を表示する２分配可能表示画像情報を形成してからステップＳ１４に移行し、ＡＡ≦ＡＡＬであるときにはステップＳ２３に移行して、図８（ｂ）に示すように、現在の接続状態即ちアンテナ３１とテレビ受像機３２とが直結した状態の接続構成図及び「２分配不可」の文字を表示する２分配不可表示情報を形成してからステップＳ１４に移行するようにすることにより、表示装置１０に接続構成図を表示することが可能となり、この接続構成図を視認することにより、新たなデジタル放送受信装置の増設が可能であるか否かを正確且つ容易に判断することが可能となる。この場合、表示装置１０に接続構成図を表示する場合に代えて、新たなデジタル放送受信装置の接続が可能であるか否かを表す文字情報の表示を行ったり、新たなデジタル放送受信装置の接続が可能であるか否かの音声情報を形成して、これをスピーカ１２から放声するようにしたりしてもよい。
【００４３】
さらに、上記実施形態においては、チューナ３とＡＧＣ回路４とが個別に設けられている場合について説明したが、これに限定されるものではなく、チューナ３内にＡＧＣ回路が組込まれている場合でも本発明を適用することができる。
さらにまた、上記実施形態においては、デジタル放送のＲＦ変調波信号をアンテナ２で受信する場合について説明したが、これに限定されるものではなく、光ファイバーケーブルを利用したＣＡＴＶ方式を採用している場合には、直接ＲＦ変調波信号をチューナ３で受信するようにしてもよい。
【００４４】
なおさらに、上記実施形態においては、ビット誤り率ＢＥＲB又はＢＥＲRが所定値を超えたときのＡＧＣレベルを受信限界ＡＧＣレベルＬLIMとして設定する場合に付いて説明したが、これに限定されるものではなく、ビット誤り率ＢＥＲB又はＢＥＲRが所定値を超える直前のAGCレベルを受信限界ＡＧＣレベルＬLIMとして設定するようにしてもよい。
また、上記実施形態においては、受信限界ＡＧＣレベルＬLIMを設定する判断基準となる所定値ＢＥＲSを例えば０．０００２に設定した場合について説明したが、これに限定されるものではなく、０〜０．０００２の間の値或いは０．０００２を超える値を設定するようにしてもよい。
【００４５】
なおさらに、上記実施形態においては、据え置き型でデジタル放送受信装置に本発明を適用した場合について説明したが、これに限定されるものではなく、デジタル放送受信装置を内蔵又は外付け可能な携帯電話機、ノート型パーソナルコンピュータ等の携帯用電子機器に本発明を適用することができる。この場合にはマルチパスの影響による受信余裕度も算出することができる。
【図面の簡単な説明】
【００４６】
【図１】本発明の一実施形態を示すブロック図である。
【図２】受信余裕度算出回路で実行する受信余裕度算出処理手順の一例を示すフローチャートである。
【図３】チューナの入力レベルとＡＧＣ回路から出力されるＡＧＣレベルとの関係を示す特性線図である。
【図４】アンテナレベル及びアンテナレベル余裕度の表示状態を示す説明図である。
【図５】チューナの入力レベルとビット誤り率との関係を示すグラフである。
【図６】本発明の他の実施形態を示すブロック図である。
【図７】受信余裕度算出回路で実行する受信余裕度算出処理手順の他の例を示すフローチャートである。
【図８】表示装置で表示する接続構成図の一例を示す説明図である。
【符号の説明】
【００４７】
１…デジタル放送受信装置、２…アンテナ、３…チューナ、４…ＡＧＣ回路、５…復調回路、６…ビタビ復号回路、７…リード・ソロモン復号回路、８…ＭＰＥＧデコーダ、９…表示制御回路、１０…表示装置、１１…音声制御回路、１２…スピーカ、１３…ビット誤り率検出回路、１４…受信レベル検出回路、１５…可変電圧発生回路、ＳＷ…選択切換回路、２０…可変減衰器
【図１】
2006217017.tif 000003
【図２】
2006217017.tif 000004
【図３】
2006217017.tif 000005
【図４】
2006217017.tif 000006
【図５】
2006217017.tif 000007
【図６】
2006217017.tif 000008
【図７】
2006217017.tif 000009
【図８】
2006217017.tif 000010